(57)【要約】【課題】パターンの倒壊を抑制または防止しつつ、パーティクルを基板から除去すること。【解決手段】基板処理装置１は、基板Ｗを保持するスピンチャック６と、発泡エネルギーが与えられることにより発泡する発泡剤を含む洗浄液をスピンチャック６に保持されている基板Ｗに供給する洗浄液ノズル９と、スピンチャック６に保持されている基板Ｗに接している洗浄液に発泡エネルギーを与えるヒータ２０および超音波振動子２１とを含む。【選択図】図１
2014017466.tif 000002
【特許請求の範囲】
【請求項１】
基板を保持する基板保持手段と、
発泡エネルギーが与えられることにより発泡する発泡剤を含む洗浄液を前記基板保持手段に保持されている基板に供給する洗浄液供給手段と、
前記基板保持手段に保持されている基板に接している洗浄液に発泡エネルギーを与える発泡エネルギー供給手段とを含む、基板処理装置。
【請求項２】
前記発泡エネルギー供給手段は、前記基板保持手段に保持されている基板に発泡エネルギーを与えることにより、発泡エネルギーを基板から洗浄液に伝達させる、請求項１に記載の基板処理装置。
【請求項３】
前記発泡エネルギー供給手段を制御することにより、洗浄液に与えられる発泡エネルギーの量を制御するエネルギー供給量制御手段をさらに含む、請求項２に記載の基板処理装置。
【請求項４】
前記洗浄液供給手段は、発泡エネルギーが与えられることにより発泡する発泡剤と、発泡エネルギーが与えられることにより蒸発する溶媒と、溶媒が蒸発することにより固化する溶質とを含む洗浄液を前記基板保持手段に保持されている基板に供給する、請求項１〜３のいずれか一項に記載の基板処理装置。
【請求項５】
洗浄液の溶質を溶解させる溶解液を前記基板保持手段に保持されている基板に供給する溶解液供給手段と、
前記洗浄液供給手段、発泡エネルギー供給手段、および溶解液供給手段を制御する制御手段とをさらに含み、
前記制御手段は、
前記洗浄液供給手段によって洗浄液を基板に供給させる洗浄液供給工程と、
前記発泡エネルギー供給手段からの発泡エネルギーを前記基板に接している洗浄液に与える発泡エネルギー供給工程と、
前記洗浄液供給工程および発泡エネルギー供給工程の後に、前記溶解液供給手段によって溶解液を前記基板に供給させる溶解液供給工程とを実行する、請求項４に記載の基板処理装置。
【請求項６】
前記発泡エネルギー供給手段は、洗浄液が前記基板保持手段に保持されている基板に供給された後、または洗浄液が前記基板保持手段に保持されている基板に供給される前に、発泡エネルギーの発生を開始する、請求項１〜５のいずれか一項に記載の基板処理装置。
【請求項７】
前記発泡エネルギー供給手段は、洗浄液に伝達される熱を発する発熱手段と、洗浄液に伝達される振動を発する振動手段と、前記基板保持手段に保持されている基板が配置されている空間の気圧を変更する気圧変更手段と、前記基板保持手段に保持されている基板に向けて光を照射する光照射手段とのうちの少なくとも一つを含む、請求項１〜６のいずれか一項に記載の基板処理装置。
【請求項８】
発泡エネルギーが与えられることにより発泡する発泡剤を含む洗浄液を基板に供給する洗浄液供給工程と、
基板に接している洗浄液に発泡エネルギーを与える発泡エネルギー供給工程とを含む、基板処理方法。
【請求項９】
前記発泡エネルギー供給工程は、基板に発泡エネルギーを与えることにより、発泡エネルギーを基板から洗浄液に伝達させる工程を含む、請求項８に記載の基板処理方法。
【請求項１０】
前記発泡エネルギー供給工程は、洗浄液に与えられる発泡エネルギーの量を制御するエネルギー供給量制御工程を含む、請求項８または９に記載の基板処理方法。
【請求項１１】
前記洗浄液供給工程で基板に供給される洗浄液は、発泡エネルギーが与えられることにより発泡する発泡剤と、発泡エネルギーが与えられることにより蒸発する溶媒と、溶媒が蒸発することにより固化する溶質とを含む、請求項８〜１０のいずれか一項に記載の基板処理方法。
【請求項１２】
前記洗浄液供給工程および発泡エネルギー供給工程の後に、洗浄液の溶質を溶解させる溶解液を前記基板に供給する溶解液供給工程さらに含む、請求項１１に記載の基板処理方法。
【請求項１３】
前記発泡エネルギー供給工程は、洗浄液に伝達される熱を発する発熱手段と、洗浄液に伝達される振動を発する振動手段と、前記基板保持手段に保持されている基板が配置されている空間の気圧を変更する気圧変更手段と、前記基板保持手段に保持されている基板に向けて光を照射する光照射手段とのうちの少なくとも一つの手段により、発泡エネルギーを洗浄液に供給する工程である、請求項８〜１２のいずれか一項に記載の基板処理方法。
【発明の詳細な説明】
【技術分野】
【０００１】
本発明は、基板を処理する基板処理装置および基板処理方法に関する。処理対象となる基板には、たとえば、半導体ウエハ、液晶表示装置用基板、プラズマディスプレイ用基板、ＦＥＤ（Field Emission Display）用基板、光ディスク用基板、磁気ディスク用基板、光磁気ディスク用基板、フォトマスク用基板、セラミック基板、太陽電池用基板などが含まれる。
【背景技術】
【０００２】
半導体装置や液晶表示装置などの製造工程では、半導体ウエハや液晶表示装置用ガラス基板などの基板からパーティクルなどの異物を除去する洗浄工程が行われる。洗浄工程は、たとえば、多数の液滴を基板に衝突させるスプレー洗浄や、基板上の処理液に超音波を与える超音波洗浄によって行われる。特許文献１には、基板の表面を覆う水膜を凍結によって膨張させることにより、基板に対するパーティクルの付着力を低下させる洗浄方法が開示されている。
【先行技術文献】
【特許文献】
【０００３】
【特許文献１】特開２００６−３３２３９６号公報
【発明の概要】
【発明が解決しようとする課題】
【０００４】
洗浄工程では、基板に形成されたパターンの倒壊を防止しつつ、パーティクルを基板から除去することが求められる。しかしながら、パターンの微細化が進むにつれて、パターンの強度が低下してきているので、前述のスプレー洗浄や超音波洗浄では、パターンが倒壊してしまう可能性がある。パターンの倒壊を防止するために、基板に衝突する液滴の勢いや、超音波を弱める方法が考えられるが、この方法では、十分な洗浄効果が得られない。また、特許文献１の洗浄方法では、基板の表面を覆う水膜を凍結させる必要がある上に、凍結した水膜を解凍して基板から除去する必要があるので、処理時間が増加してしまう。
【０００５】
そこで、本発明の目的は、パターンの倒壊を抑制または防止しつつ、パーティクルを基板から除去できる基板処理装置および基板処理方法を提供することである。
【課題を解決するための手段】
【０００６】
パターンの倒壊は、パターンに作用する倒壊方向（基板の表面と平行な方向）の力（パターンの両側に力が作用する場合には、２つの力の差）がパターンの強度を上回ったときに発生する。また、パターンの先端部に力が加わると、パターンの根元に作用する力が梃子の原理によって増幅されるので、その力が小さくてもパターンが倒壊してしまうことがある。
【０００７】
したがって、パターンの倒壊を抑制または防止しつつ、パーティクルを除去する方法としては、「１」倒壊方向の力をパターンに作用させない、「２」倒壊方向の力が作用する部分をパターンの根元付近だけに止める、「３」倒壊方向の力がパターンの先端部に作用する場合には、方向が反対で大きさが等しい２つの力をパターンの両側に作用させる、ことが考えられる。
【０００８】
そこで、本発明の一実施形態は、基板（Ｗ）を保持する基板保持手段（６）と、発泡エネルギーが与えられることにより発泡する発泡剤を含む洗浄液を前記基板保持手段に保持されている基板に供給する洗浄液供給手段（９、９Ａ、９Ｂ）と、前記基板保持手段に保持されている基板に接している洗浄液に発泡エネルギーを与える発泡エネルギー供給手段（１３、１４、２０、２１）とを含む、基板処理装置（１）を提供する。
【０００９】
この構成によれば、洗浄液が基板に接している状態で、発泡エネルギーが洗浄液に与えられる。これにより、発泡剤が発泡して、洗浄液中に気泡が発生する。基板に付着しているパーティクルは、基板とパーティクルとの間に介在する気泡によって基板から離れる方向に押される。そのため、基板に対するパーティクルの付着力が弱まったり、パーティクルが基板から剥がれたりする。さらに、パターンが基板に形成されている場合には、パターンの両側で気泡が発生するので、方向が反対で大きさが等しい２つの力がパターンに加わる。したがって、パターンに加わる力が相殺される。そのため、パターンの倒壊を抑制または防止しつつ、パーティクルを除去できる。
【００１０】
請求項２に記載の発明は、前記発泡エネルギー供給手段は、前記基板保持手段に保持されている基板に発泡エネルギーを与えることにより、発泡エネルギーを基板から洗浄液に伝達させる、請求項１に記載の基板処理装置である。
この構成によれば、発泡エネルギー供給手段が発する発泡エネルギーが、基板から洗浄液に伝達される。したがって、発泡剤の発泡は、基板と洗浄液との接触位置（たとえば、パターンの根元付近）で始まる。そのため、倒壊方向の力が、パターンの先端部に加わることを抑制または防止できる。これにより、パターンの倒壊を抑制または防止できる。さらに、多数の気泡を含む気泡層が、基板と洗浄液との接触位置からパターンの先端部まで広がったとしても、方向が反対で大きさが等しい２つの力が気泡からパターンに加わるので、パターンの倒壊を抑制または防止できる。
【００１１】
請求項３に記載の発明は、前記発泡エネルギー供給手段を制御することにより、洗浄液に与えられる発泡エネルギーの量を制御するエネルギー供給量制御手段（４）をさらに含む、請求項２に記載の基板処理装置である。
この構成によれば、洗浄液に対する発泡エネルギーの供給時間や、発泡エネルギー供給手段が発する発泡エネルギーの強さ（温度や周波数など）が、エネルギー供給量制御手段によって変更される。これにより、洗浄液に与える発泡エネルギーの量が制御される。洗浄液中に発生する気泡の量は、発泡エネルギーの供給量の増加に伴って増加する。したがって、エネルギー供給量制御手段は、気泡層が形成される領域を基板の表面近傍の領域（たとえば、基板の表面から数ｎｍ〜１００ｎｍまでの領域）だけに止めて、物理力（パターンに加わる物理的な力）が発生する領域を基板の表面近傍だけに止めることができる。すなわち、エネルギー供給量制御手段は、パターンの先端部が気泡によって押されることを抑制または防止できる。これに対して、従来のスプレー洗浄では、直径が数μｍ〜数十μｍの液滴が基板に衝突するため、物理力が作用する領域を基板の表面近傍だけに止めることができない。また、超音波洗浄では、キャビテーションが発生する位置を制御できないため、洗浄液中のあらゆる場所で物理力が発生してしまう。したがって、エネルギー供給量制御手段は、洗浄液に与えられる発泡エネルギーの量を制御することにより、パターンの倒壊を抑制または防止できる。
【００１２】
請求項４に記載の発明は、前記洗浄液供給手段は、発泡エネルギーが与えられることにより発泡する発泡剤と、発泡エネルギーが与えられることにより蒸発する溶媒と、溶媒が蒸発することにより固化する溶質とを含む洗浄液を前記基板保持手段に保持されている基板に供給する、請求項１〜３のいずれか一項に記載の基板処理装置である。
この構成によれば、発泡エネルギーが洗浄液に与えられると、発泡剤が発泡すると共に、洗浄液の溶媒が蒸発する。洗浄液の溶質は、溶媒の蒸発に伴って固化する。したがって、溶質は、発泡剤の発泡によって発生した気泡を含んだ状態で固化する。そのため、パーティクルと基板との間に気泡が介在している状態が維持される。言い換えると、基板から離れる方向への力がパーティクルに加わっている状態が維持される。これにより、基板から剥がれたパーティクルが基板に再付着することを抑制または防止できる。
【００１３】
請求項５に記載の基板処理装置は、洗浄液の溶質を溶解させる溶解液を前記基板保持手段に保持されている基板に供給する溶解液供給手段（５）と、前記洗浄液供給手段、発泡エネルギー供給手段、および溶解液供給手段を制御する制御手段（４）とをさらに含む。
前記制御手段は、前記洗浄液供給手段によって洗浄液を基板に供給させる洗浄液供給工程と、前記発泡エネルギー供給手段からの発泡エネルギーを前記基板に接している洗浄液に与える発泡エネルギー供給工程と、前記洗浄液供給工程および発泡エネルギー供給工程の後に、前記溶解液供給手段によって溶解液を前記基板に供給させる溶解液供給工程とを実行する。
【００１４】
この構成によれば、発泡剤と溶媒と溶質とを含む洗浄液が、基板に供給され、発泡エネルギーが、この洗浄液に供給される。その後、洗浄液の溶質を溶解させる溶解液が、基板に供給される。前述のように、発泡エネルギーが洗浄液に与えられると、発泡剤が発泡すると共に、洗浄液の溶媒が蒸発する。洗浄液の溶質は、溶媒の蒸発に伴って固化する。したがって、溶質は、発泡剤の発泡によって発生した気泡を含んだ状態で固化する。そして、固化した溶質は、基板に供給された溶解液に溶解する。これにより、溶質が基板から除去される。
【００１５】
前記発泡エネルギー供給手段は、請求項６に記載の発明のように、洗浄液が前記基板保持手段に保持されている基板に供給された後、または洗浄液が前記基板保持手段に保持されている基板に供給される前に、発泡エネルギーの発生を開始してもよい。
また、前記発泡エネルギー供給手段は、請求項７に記載の発明のように、洗浄液に伝達される熱を発する発熱手段（２０）と、洗浄液に伝達される振動を発する振動手段（２１）と、前記基板保持手段に保持されている基板が配置されている空間の気圧を変更する気圧変更手段（１３、１４）と、前記基板保持手段に保持されている基板に向けて光を照射する光照射手段とのうちの少なくとも一つを含んでいてもよい。
【００１６】
請求項８に記載の発明は、発泡エネルギーが与えられることにより発泡する発泡剤を含む洗浄液を基板に供給する洗浄液供給工程と、基板に接している洗浄液に発泡エネルギーを与える発泡エネルギー供給工程とを含む、基板処理方法である。この方法によれば、請求項１の発明に関して述べた効果と同様な効果を奏することができる。
請求項９に記載の発明は、前記発泡エネルギー供給工程は、基板に発泡エネルギーを与えることにより、発泡エネルギーを基板から洗浄液に伝達させる工程を含む、請求項８に記載の基板処理方法である。この方法によれば、請求項２の発明に関して述べた効果と同様な効果を奏することができる。
【００１７】
請求項１０に記載の発明は、前記発泡エネルギー供給工程は、洗浄液に与えられる発泡エネルギーの量を制御するエネルギー供給量制御工程を含む、請求項８または９に記載の基板処理方法である。この方法によれば、請求項３の発明に関して述べた効果と同様な効果を奏することができる。
請求項１１に記載の発明は、前記洗浄液供給工程で基板に供給される洗浄液は、発泡エネルギーが与えられることにより発泡する発泡剤と、発泡エネルギーが与えられることにより蒸発する溶媒と、溶媒が蒸発することにより固化する溶質とを含む、請求項８〜１０のいずれか一項に記載の基板処理方法である。この方法によれば、請求項４の発明に関して述べた効果と同様な効果を奏することができる。
【００１８】
請求項１２に記載の発明は、前記洗浄液供給工程および発泡エネルギー供給工程の後に、洗浄液の溶質を溶解させる溶解液を前記基板に供給する溶解液供給工程さらに含む、請求項１１に記載の基板処理方法である。この方法によれば、請求項５の発明に関して述べた効果と同様な効果を奏することができる。
請求項１３に記載の発明は、前記発泡エネルギー供給工程は、洗浄液に伝達される熱を発する発熱手段と、洗浄液に伝達される振動を発する振動手段と、前記基板保持手段に保持されている基板が配置されている空間の気圧を変更する気圧変更手段と、前記基板保持手段に保持されている基板に向けて光を照射する光照射手段とのうちの少なくとも一つの手段により、発泡エネルギーを洗浄液に供給する工程である、請求項８〜１２のいずれか一項に記載の基板処理方法である。この方法によれば、請求項７の発明に関して述べた効果と同様な効果を奏することができる。
【００１９】
なお、この項において、括弧内の英数字は、後述の実施形態における対応構成要素の参照符号を表すものであるが、これらの参照符号により特許請求の範囲を限定する趣旨ではない。
【図面の簡単な説明】
【００２０】
【図１】本発明の一実施形態に係る基板処理装置に備えられた処理ユニットの内部を水平に見た模式図である。
【図２】処理ユニットの内部を上から見た模式図である。
【図３】スキャンノズル（洗浄液ノズル）の模式的な断面図である。
【図４】基板処理装置によって行われる基板の処理の一例について説明するための工程図である。
【図５Ａ】洗浄液中でのパーティクルの状態について説明するための模式図である。
【図５Ｂ】洗浄液中でのパーティクルの状態について説明するための模式図である。
【図５Ｃ】洗浄液中でのパーティクルの状態について説明するための模式図である。
【図６】本発明の他の実施形態に係る洗浄液ノズルの模式図である。
【図７】本発明のさらに他の実施形態に係る洗浄液ノズルの模式図である。
【図８】基板上で固化した溶質を基板から剥がす剥離装置の模式図である。
【発明を実施するための形態】
【００２１】
以下では、本発明の実施形態を、添付図面を参照して詳細に説明する。
図１は、本発明の一実施形態に係る基板処理装置１に備えられた処理ユニット２の内部を水平に見た模式図である。図２は、処理ユニット２の内部を上から見た模式図である。図３は、スキャンノズル９の模式的な断面図である。
図１に示すように、基板処理装置１は、半導体ウエハなどの円板状の基板Ｗを１枚ずつ処理する枚葉式の装置である。基板処理装置１は、洗浄液や溶解液などの処理液を用いて基板Ｗを処理する処理ユニット２と、洗浄液および溶解液を処理ユニット２に供給する洗浄液ユニット３と、基板処理装置１に備えられた装置の動作やバルブの開閉を制御する制御装置４とを含む。
【００２２】
図１に示すように、処理ユニット２は、箱形のチャンバー５と、チャンバー５内で基板Ｗを水平に保持して基板Ｗの中央部を通る鉛直な基板回転軸線Ａ１まわりに基板Ｗを回転させるスピンチャック６と、スピンチャック６に保持されている基板Ｗに向けて処理液を吐出する複数のノズル（固定ノズル７、中心軸ノズル８、およびスキャンノズル９）と、スピンチャック６の周囲を取り囲む筒状のカップ１０とを含む。さらに、処理ユニット２は、スピンチャック６の上方で水平に保持された円板状の遮断板１１と、遮断板１１を基板Ｗの上方で昇降させる遮断板昇降ユニット（図示せず）とを含む。遮断板昇降ユニットは、複数のノズルが基板Ｗと遮断板１１との間に進入できない高さまで遮断板１１の下面が基板Ｗの上面に近接する近接位置と、近接位置よりも上方の退避位置（図１に示す位置）との間で遮断板１１を昇降させる。
【００２３】
図１に示すように、チャンバー５は、箱形の隔壁１２と、隔壁１２の上部から隔壁１２内（チャンバー５内に相当）に清浄空気を送る送風ユニットとしてのＦＦＵ１３（ファン・フィルタ・ユニット１３）と、隔壁１２の下部からチャンバー５内の気体を排出する排気装置１４とを含む。スピンチャック６、複数のノズル、カップ１０、および遮断板１１は、隔壁１２内に配置されている。ＦＦＵ１３は、隔壁１２の上方に配置されており、隔壁１２の天井に取り付けられている。ＦＦＵ１３は、隔壁１２の天井からチャンバー５内に清浄空気を送る。排気装置１４は、カップ１０の底部に接続されており、カップ１０の底部からチャンバー５内の気体を吸引する。ＦＦＵ１３および排気装置１４は、チャンバー５内にダウンフロー（下降流）を形成する。基板Ｗの処理は、チャンバー５内にダウンフローが形成されている状態で行われる。さらに、チャンバー５内の気圧は、ＦＦＵ１３の送風流量と排気装置１４の排気流量とが制御装置４によって制御されることにより、負圧（大気圧よりも低い圧力）から正圧（大気圧よりも高い圧力）までの範囲内の一定の圧力に維持される。
【００２４】
図１に示すように、スピンチャック６は、基板Ｗを水平に保持する円盤状のスピンベース１５と、スピンベース１５から下方に延びる回転軸１６と、回転軸１６を回転させることにより、基板Ｗおよびスピンベース１５を基板回転軸線Ａ１まわりに回転させるスピンモータ１７とを含む。制御装置４は、スピンモータ１７を制御することにより、スピンベース１５に保持されている基板Ｗを一定の回転方向Ｄｒ（図２では、右まわり）に回転させる。スピンベース１５は、水平な姿勢で保持されている。スピンベース１５は、基板Ｗよりも若干小さい直径（基板Ｗの直径よりもたとえば３ｍｍほど小さい直径）を有している。基板Ｗは、基板Ｗの中心がスピンベース１５の中心軸線上に位置するように、スピンベース１５上で保持される。カップ１０は、スピンベース１５を取り囲んでいる。カップ１０は、スピンベース１５の外径よりも大きな内径を有している。上向きに開いたカップ１０の開口部は、スピンベース１５よりも上方に配置されている。したがって、基板Ｗの周囲に排出された処理液は、カップ１０によって受け止められる。そして、カップ１０の底部に導かれた処理液は、カップ１０の底部に接続された排液配管１８を通じてカップ１０から排出され、回収または廃棄される。
【００２５】
スピンチャック６は、基板Ｗを水平方向に挟むことにより基板Ｗを水平に保持する挟持式のチャックであってもよいし、非デバイス形成面である基板Ｗの裏面（下面）を吸着することにより基板Ｗを水平に保持するバキューム式のチャックであってもよい。図１および図２では、スピンチャック６がバキューム式のチャックである場合が示されている。図２に示すように、スピンベース１５は、スピンベース１５の上面で開口する複数の吸引孔１９を含む。複数の吸引孔１９は、基板Ｗの中央部と、中央部を取り囲む基板Ｗの中間部と、中間部を取り囲む基板Ｗの周縁部とに対向する位置に配置されている。図２では、複数の吸引孔１９は、たとえば、スピンベース１５の中心で直交する十字線上に配置されている。複数の吸引孔１９は、図示しない吸引装置に接続されている。基板Ｗがスピンベース１５上に配置されている状態で複数の吸引孔１９が吸引されると、基板Ｗの複数の部分が複数の吸引孔１９に吸い寄せられる。これにより、基板Ｗの下面とスピンベース１５の上面とが接触した状態で、基板Ｗがスピンベース１５上で水平に保持される。
【００２６】
図１に示すように、処理ユニット２は、熱を発することにより基板Ｗ上の処理液を加熱する発熱体としてのヒータ２０と、振動（超音波）を発することにより基板Ｗ上の処理液に振動を与える超音波振動子２１とを含む。ヒータ２０は、スピンベース１５に内蔵されており、超音波振動子２１は、スピンベース１５の下方でスピンベース１５に保持されている。ヒータ２０は、スピンベース１５よりもやや小さい外径を有する円板状に形成されている。超音波振動子２１は、スピンベース１５と等しい外径を有する円板状に形成されている。スピンベース１５および超音波振動子２１は、同軸的に配置されており、平面視において互いに重なり合っている。ヒータ２０および超音波振動子２１は、スピンベース１５と共に基板回転軸線Ａ１まわりに回転する。ヒータ２０および超音波振動子２１は、スピンベース１５に対して相対回転可能であってもよい。
【００２７】
ヒータ２０の温度は、制御装置４によって制御される。スピンベース１５の上面全域は、ヒータ２０によって下から均一に加熱される。したがって、基板Ｗの全域は、ヒータ２０によって下から均一に加熱される。そのため、基板Ｗ上に処理液が保持されている状態で、基板Ｗが加熱されると、基板Ｗ上の処理液が、ヒータ２０によって下から均一に加熱される。また、超音波振動子２１が発生する振動の周波数や振幅は、制御装置４によって制御される。超音波振動子２１からの振動は、スピンベース１５を介して基板Ｗの全域に均一に伝達される。そのため、基板Ｗ上に処理液が保持されている状態で、超音波振動子２１が振動を発すると、超音波振動子２１からの振動が、基板Ｗ上の処理液に下から均一に伝達される。
【００２８】
図１に示すように、複数の処理液ノズルは、固定された状態で基板Ｗの上面中央部に向けて処理液を吐出するリンス液ノズルとしての固定ノズル７を含む。処理ユニット２は、固定ノズル７に接続された第１溶解液配管２２と、第１溶解液配管２２に介装された第１溶解液バルブ２３とを含む。さらに、処理ユニット２は、固定ノズル７に接続された第１リンス液配管２４と、第１リンス液配管２４に介装された第１リンス液バルブ２５とを含む。第１溶解液配管２２は、リンス液としての溶解液を供給する溶解液ユニット（図示せず）に接続されており、第１リンス液配管２４は、リンス液供給源に接続されている。溶解液ユニット内の溶解液は、後述する洗浄液の溶媒と同種の液体であり、洗浄液の溶質を溶解させる液体である。また、洗浄液の溶質を溶解させる液体であれば、溶解液は、洗浄液の溶媒とは異なる種類の液体であってもよい。
【００２９】
第１溶解液バルブ２３が開かれると、溶解液ユニットからの溶解液が、第１溶解液配管２２から固定ノズル７に供給され、基板Ｗの上面中央部に向けて固定ノズル７から吐出される。同様に、第１リンス液バルブ２５が開かれると、リンス液供給源からのリンス液が、第１リンス液配管２４から固定ノズル７に供給され、基板Ｗの上面中央部に向けて固定ノズル７から吐出される。固定ノズル７に供給されるリンス液は、純水（脱イオン水：Ｄeionzied Ｗater）、炭酸水、電解イオン水、水素水、オゾン水、および希釈濃度（たとえば、１０〜１００ｐｐｍ程度）の塩酸水などであってもよい。
【００３０】
図１に示すように、複数のノズルは、遮断板１１の中心軸線に沿って上下方向に延びるリンス液ノズルとしての中心軸ノズル８を含む。遮断板１１は、遮断板１１の中心軸線が基板回転軸線Ａ１上に位置するようにスピンチャック６の上方で水平に保持されている。遮断板１１は、基板Ｗよりも大きな外径を有している。したがって、遮断板１１の下面は、基板Ｗの上面全域に対向している。中心軸ノズル８は、遮断板１１の中央部を上下方向に貫通する貫通孔内に挿入されている。中心軸ノズル８の下端部は、遮断板１１の下面よりも上方に配置されている。中心軸ノズル８は、遮断板１１と共に昇降する。
【００３１】
図１に示すように、中心軸ノズル８は、基板回転軸線Ａ１に沿って上下方向に延びる複数のインナーチューブ（溶剤チューブ２６およびリンス液チューブ２７）と、複数のインナーチューブを取り囲む筒状のケーシング２８とを含む。複数のインナーチューブは、基板Ｗの上面中央部に向けて溶剤を吐出する溶剤チューブ２６と、基板Ｗの上面中央部に向けてリンス液を吐出するリンス液チューブ２７とを含む。ケーシング２８は、基板回転軸線Ａ１に沿って上下方向に延びている。ケーシング２８は、遮断板１１の中央部を上下方向に貫通する貫通孔内に非接触状態で挿入されている。したがって、遮断板１１の内周面は、径方向に間隔を空けてケーシング２８の外周面を取り囲んでいる。
【００３２】
図１に示すように、処理ユニット２は、溶剤チューブ２６に接続された第２溶解液配管２９と、第２溶解液配管２９に介装された第２溶解液バルブ３０と、リンス液チューブ２７に接続された第２リンス液配管３１と、第２リンス液配管３１に介装された第２リンス液バルブ３２とを含む。第２溶解液バルブ３０が開かれると、基板Ｗの上面中央部に向けて中心軸ノズル８（溶剤チューブ２６の下端部）から溶剤が吐出される。同様に、第２リンス液バルブ３２が開かれると、基板Ｗの上面中央部に向けて中心軸ノズル８（リンス液チューブ２７の下端部）から溶剤が吐出される。中心軸ノズル８に供給される溶剤は、純水よりも揮発性が高く、純水よりも表面張力が小さい揮発性有機溶剤（液体）である。揮発性有機溶剤は、この実施形態ではＩＰＡ（イソプロピルアルコール）であるが、ＨＦＥ（ハイドロフロロエーテル）などの他の揮発性有機溶剤であってもよいし、その混合液であってもよい。
【００３３】
図１に示すように、処理ユニット２は、さらに、ケーシング２８の外周面と遮断板１１の内周面との間の筒状の空間に不活性性ガスを供給するガス配管３３と、ガス配管３３に介装されたガスバルブ３４とを含む。ガスバルブ３４が開かれると、ガス供給源からの不活性ガスが、ケーシング２８の外周面と遮断板１１の内周面との間を通って、遮断板１１の下面中央部から下方に吐出される。したがって、遮断板１１が近接位置に配置されている状態で、ガスバルブ３４が開かれると、遮断板１１の下面中央部から吐出された不活性ガスが基板Ｗと遮断板１１との間を外方に（基板回転軸線Ａ１から離れる方向に）広がり、基板Ｗと遮断板１１との空気が、不活性ガスに置換される。ガス配管３３内を流れる不活性ガスは、窒素ガスである。不活性ガスは、窒素ガスに限らず、ヘリウムガスやアルゴンガスなどの他の不活性ガスであってもよい。
【００３４】
図１に示すように、複数のノズルは、処理液の着液位置が基板Ｗの上面内で移動するように、基板Ｗの上方を移動しながら処理液を吐出するスキャンノズル９を含む。洗浄液ノズルとしてのスキャンノズル９は、洗浄液ユニット３に接続されている。図３に示すように、スキャンノズル９は、基板Ｗの上面に対向する洗浄液吐出口３５と、基板Ｗの上面に対向する溶解液吐出口３６とを含む。洗浄液吐出口３５および溶解液吐出口３６は、スキャンノズル９の下面で開口している。洗浄液ユニット３内の洗浄液は、洗浄液吐出口３５から基板Ｗの上面内の上流位置Ｐｕに向けて下方に吐出され、洗浄液ユニット３内の溶解液は、溶解液吐出口３６から基板Ｗの上面内の下流位置Ｐｄに向けて吐出される。図２に示すように、上流位置Ｐｕは、基板Ｗの回転方向Ｄｒに関して、下流位置Ｐｄよりも上流側の位置である。上流位置Ｐｕおよび下流位置Ｐｄは、基板Ｗの回転方向Ｄｒに並んでいる。したがって、洗浄液吐出口３５および溶解液吐出口３６からそれぞれ洗浄液および溶解液が吐出されている状態では、基板Ｗに供給された洗浄液は、溶解液吐出口３６から吐出された溶解液によって直ぐに洗い流される。
【００３５】
図２に示すように、処理ユニット２は、基板回転軸線Ａ１に交差するノズル移動方向Ｄｎにスキャンノズル９を移動させるノズル移動機構３７を含む。ノズル移動機構３７は、スキャンノズル９を保持するノズルアーム３８と、スピンチャック６の周囲で鉛直に延びるノズル回転軸線まわりにノズルアーム３８を回転させる駆動機構３９とを含む。駆動機構３９は、ノズルアーム３８に連結された鉛直な支軸と、支軸と同軸のモータとを含む構成であってもよいし、ノズルアーム３８に連結された鉛直な支軸と、支軸をその中心軸線まわりに回転させる動力を発生するモータと、支軸とモータとを連結する無端環状の伝動部材（たとえば、ベルト）と含む構成であってもよい。
【００３６】
図２に示すように、ノズル移動機構３７は、平面視において基板Ｗの上面中央部を通る軌跡Ｘ１に沿ってスキャンノズル９を水平に移動させる。軌跡Ｘ１は、平面視において基板Ｗの上面中央部を通る円弧状の曲線である。軌跡Ｘ１は、平面視において基板Ｗの上面中央部を通る直線であってもよい。ノズル移動方向Ｄｎは、軌跡Ｘ１に沿う水平な方向である。ノズル移動機構３７は、スキャンノズル９が基板Ｗの上方に位置する処理領域（図２に示す位置）と、スキャンノズル９が基板Ｗの上方から離れた退避位置との間で、軌跡Ｘ１に沿ってスキャンノズル９を水平に移動させる。
【００３７】
基板Ｗが処理液によって処理されるときには、制御装置４は、スピンチャック６によって基板Ｗを基板回転軸線Ａ１まわりに回転させる。この状態で、制御装置４は、基板Ｗの上面に向けてスキャンノズル９から処理液（洗浄液および溶解液の少なくとも一方）を吐出させる。さらに、制御装置４は、ノズル移動機構３７を制御することにより、スキャンノズル９から吐出された処理液が基板Ｗの上面中央部に着液するセンター位置と、スキャンノズル９から吐出された処理液が基板Ｗの上面周縁部に着液するエッジ位置との間でスキャンノズル９を水平に移動させる。これにより、洗浄液吐出口３５から吐出された洗浄液が着液する上流位置Ｐｕが、基板Ｗの上面全域をスキャン（走査）し、基板Ｗの上面全域に洗浄液が供給される。同様に、溶解液吐出口３６から吐出された溶解液が着液する下流位置Ｐｄが、基板Ｗの上面全域をスキャン（走査）し、基板Ｗの上面全域に溶解液が供給される。
【００３８】
図１に示すように、洗浄液ユニット３は、箱形のハウジング４０と、ハウジング４０内に配置された洗浄液タンク４１と、洗浄液タンク４１とスキャンノズル９（洗浄液吐出口３５）とを接続する洗浄液配管４２と、洗浄液配管４２に介装された洗浄液バルブ４３とを含む。さらに、洗浄液ユニット３は、ハウジング４０内に配置された溶解液タンク４４と、溶解液タンク４４とスキャンノズル９（溶解液吐出口３６）とを接続する第３溶解液配管４５と、第３溶解液配管４５に介装された第３溶解液バルブ４６と、洗浄液タンク４１内の洗浄液と溶解液タンク４４内の溶解液とをスキャンノズル９に送る送液装置４７とを含む。
【００３９】
送液装置４７は、タンク内の気圧を上昇させることにより、タンク内の処理液を配管に送る気体供給装置であってもよいし、タンクからスキャンノズル９に処理液を導く配管に介装されたポンプであってもよい。図１では、送液装置４７が、気体供給装置である場合が示されている。図１に示す送液装置４７は、不活性ガス供給源からの不活性ガス（図１では、窒素ガス）を洗浄液タンク４１内および溶解液タンク４４内に供給することにより、洗浄液タンク４１内の気圧と溶解液タンク４４内の気圧とを上昇させる加圧配管４８を含む。
【００４０】
洗浄液バルブ４３が開かれており、第３溶解液バルブ４６が閉じられている状態では、洗浄液タンク４１内の洗浄液が、洗浄液配管４２を通じてスキャンノズル９に供給され、スキャンノズル９に設けられた洗浄液吐出口３５から基板Ｗの上面内の上流位置Ｐｕに向けて下方に吐出される。これとは反対に、洗浄液バルブ４３が閉じられており、第３溶解液バルブ４６が開かれている状態では、溶解液タンク４４内の溶解液が、第３溶解液配管４５を通じてスキャンノズル９に供給され、スキャンノズル９に設けられた溶解液吐出口３６から基板Ｗの上面内の下流位置Ｐｄに向けて下方に吐出される。また、洗浄液バルブ４３および第３溶解液バルブ４６が開かれている状態では、洗浄液および溶解液が、スキャンノズル９から吐出される。
【００４１】
洗浄液タンク４１内の洗浄液は、溶質と発泡剤とが溶媒に溶解した溶液である。溶解液タンク４４内の溶解液は、洗浄液の溶質を溶解させる液体である。溶解液タンク４４内の溶解液は、洗浄液の溶媒と同種の液体である。溶解液タンク４４内の溶解液は、洗浄液の溶媒と異なる種類の液体であってもよい。
洗浄液の溶媒は、溶質を溶解させる液体であり、洗浄液の溶質は、溶媒の濃度の低下に伴って液体から固体に変化する物質である。発泡剤は、熱や振動などの発泡エネルギーの付与によって発泡する物質である。たとえば洗浄液が加熱されると、熱エネルギーが発泡剤に加わり、洗浄液中に気泡が発生する。さらに、洗浄液の加熱によって洗浄液の溶媒が蒸発して、溶質が固化する。そのため、洗浄液を加熱すると、洗浄液中に発泡体（溶質によって構成された気泡を含む固体）が形成される。また、振動が洗浄液に与えられると、洗浄液が加熱された場合と同様に、洗浄液中に気泡が発生し、溶質が固化する。これにより、洗浄液中に発泡体が形成される。
【００４２】
溶質、溶媒、および発泡剤の組み合わせの具体例は、溶質としてのポリメタクリル酸メチル樹脂（PMMA）と、溶媒としてのアクリル酸と、発泡剤としての重曹（炭酸水素ナトリウム）である。
「発泡剤」の他の具体例は、発泡エネルギーの付与によって窒素ガスを発生するアゾジカルボンアミドである。「発泡剤」のさらに他の具体例は、クエン酸ブレンド、ジニトロソペンタメチレンテトラミン、水素化ホウ素ナトリウム、p-トルエンスルホニルヒドラジド、4-4’-オキソビス（ベンゼンスルホニルヒドラジド）、アゾジカルボンアミド（1,1’-アゾビスホルムアミド）、p-トルエンスルホニルセミカルバジド、および５−フェニルテトラゾール、あるいは、これらの類似物である。
【００４３】
溶質および溶媒の組み合わせの他の具体例は、溶質としての有機材料（有機化合物で形成された材料）と、溶媒としての有機溶剤とである。「溶質」としての有機材料の具体例は、ポリオレフィン、ポリエチレン、ポリエチレンテレフタレート、およびポリエーテルエーテルケトンなどのポリエーテル類である。「溶質」としての有機材料の他の具体例は、ポリスチレン、ポリエーテルイミド類、ポリカーボネート、ポリメタクリル酸メチル樹脂（PMMA）、ポリアミド系合成繊維、ポリスルホン、ポリカプロラクトン、セルロース樹脂、アクリル樹脂、およびアラミド（芳香族ポリアミド）である。「溶媒」としての有機溶剤の具体例は、トルエン、シクロペンタノン、およびシクロペンタンである。「溶媒」としての有機溶剤の他の具体例は、アルコール類の有機溶剤、およびケトン類の有機溶剤である。
【００４４】
いずれの組み合わせにおいても、溶質が水溶性である場合には、純水などの水を主成分とする液体が溶媒として用いられてもよい。また、いずれの組み合わせにおいても、前述の揮発性有機溶剤が溶媒として用いられてもよい。
基板Ｗの表面が疎水面である場合、洗浄液が基板Ｗの表面に弾かれて、基板Ｗの表面が部分的に露出する場合がある。このような場合に、表面張力が小さい揮発性有機溶剤を溶媒として用いれば、基板Ｗの表面が部分的に露出することを抑制または防止できる。また、揮発性有機溶剤を溶媒として用いない場合でも、洗浄液の粘度が高ければ、基板Ｗの表面が疎水面であっても、基板Ｗの表面が部分的に露出することを抑制または防止できる。したがって、基板Ｗの表面が疎水面である場合には、洗浄液を構成する各成分の濃度を調整することにより、洗浄液の粘度を高粘度に調整してもよい。その一方で、基板Ｗの表面が親水性である場合には、溶媒は、揮発性有機溶剤であってもよいし、揮発性有機溶剤以外の液体であってもよい。
【００４５】
図４は、基板処理装置１によって行われる基板Ｗの処理の一例について説明するための工程図である。図５Ａ〜図５Ｃは、洗浄液中でのパーティクルの状態について説明するための模式図である。以下では、チャンバー５内の気圧が大気圧に維持されている状態で、パターンが形成された基板Ｗが処理されるときの処理例について説明する。また、以下では、図１を参照する。図４、図５Ａ、図５Ｂ、および図５Ｃについては適宜参照する。
【００４６】
基板Ｗが処理されるときには、基板Ｗをスピンチャック６に搬送する搬入工程が行われる（図４のステップＳ１）。具体的には、制御装置４は、スキャンノズル９等のチャンバー５内の構成をスピンチャック６の上方から退避させ、遮断板１１を退避位置に位置させている状態で、図示しない搬送ロボットを制御することにより、基板Ｗの表面が上に向けられた状態で、搬送ロボットによって基板Ｗをスピンチャック６（スピンベース１５）上に載置させる。その後、制御装置４は、スピンチャック６を制御することにより、スピンベース１５に基板Ｗを吸着させる。これにより、基板Ｗがスピンチャック６に保持される。その後、制御装置４は、スピンチャック６を制御することにより、スピンチャック６に基板Ｗを基板回転軸線Ａ１まわりに回転させる。
【００４７】
次に、基板Ｗを加熱する加熱工程と、基板Ｗに振動を付与する振動付与工程とが並行して行われる（図４のステップＳ２）。具体的には、制御装置４は、スピンベース１５に内蔵されたヒータ２０を制御することにより、ヒータ２０からの発熱を開始させる。これにより、スピンチャック６に保持された基板Ｗの全域がヒータ２０によって下から均一に加熱される。一方、制御装置４は、超音波振動子２１を制御することにより、超音波振動子２１に振動を発生させる。これにより、超音波振動子２１からの振動が、基板Ｗの全域に均一に付与される。ヒータ２０の発熱と、超音波振動子２１の振動とは、同時に開始されてもよいし、異なる時期に開始されてもよい。また、ヒータ２０の発熱は、基板Ｗがスピンベース１５上に載置される前から開始されてもよいし、基板Ｗがスピンベース１５に載置された後に開始されてもよい。超音波振動子２１の振動の開始についても同様である。
【００４８】
次に、洗浄液を基板Ｗに供給する洗浄液供給工程と、溶解液を基板Ｗに供給する溶解液供給工程とが並行して行われる（図４のステップＳ３）。具体的には、制御装置４は、ノズル移動機構３７を制御することにより、スキャンノズル９を退避位置から基板Ｗの上方に移動させる。その後、制御装置４は、洗浄液バルブ４３を開いて洗浄液吐出口３５からの洗浄液の吐出を開始させると共に、第３溶解液バルブ４６を開いて溶解液吐出口３６からの溶解液の吐出を開始させる。これにより、洗浄液および溶解液が、回転状態の基板Ｗの上面に向けてスキャンノズル９から吐出される。溶解液吐出口３６からの溶解液の吐出は、洗浄液吐出口３５からの洗浄液の吐出と同時に開始されてもよいし、洗浄液吐出口３５からの洗浄液の吐出が開始される前に開始されてもよい。
【００４９】
制御装置４は、洗浄液および溶解液が回転状態の基板Ｗの上面に向けてスキャンノズル９から吐出されている状態で、ノズル移動機構３７を制御することにより、洗浄液および溶解液が基板Ｗの上面中央部に着液するセンター位置と、洗浄液および溶解液が基板Ｗの上面周縁部に着液するエッジ位置との間で、スキャンノズル９を複数回往復させる（ハーフスキャン）。これにより、洗浄液および溶解液が、基板Ｗの上面全域に供給される。そのため、基板Ｗの上面全域を覆う洗浄液および溶解液の液膜が形成される。制御装置４は、スキャンノズル９からの洗浄液および溶解液の吐出を開始させてから所定時間が経過した後、洗浄液バルブ４３および第３溶解液バルブ４６を閉じて、スキャンノズル９からの洗浄液および溶解液の吐出を停止させる。その後、制御装置４は、ノズル移動機構３７を制御することにより、スキャンノズル９を基板Ｗの上方から退避させる。さらに、制御装置４は、ヒータ２０および超音波振動子２１を制御することにより、発熱と振動を停止させる（図４のステップＳ４）。
【００５０】
図５Ａに示すように、洗浄液吐出口３５から吐出された洗浄液は、熱および振動が基板Ｗの全域に均一に与えられている状態で基板Ｗの上面全域に供給される。そのため、熱および振動が基板Ｗから洗浄液に与えられる。洗浄液には、熱や振動などの発泡エネルギーの付与によって発泡する発泡剤が含まれている。したがって、洗浄液中の発泡剤が、基板Ｗと洗浄液とが接する基板Ｗの表面、すなわち、隣接するパターンによって形成された溝の底面や、パターン自体の表面で発泡し、洗浄液中に気泡が発生する。そのため、図５Ｂに示すように、気泡層（気泡を含んだ液体層）が、基板Ｗの表面に沿って形成される。さらに、洗浄液の溶媒は洗浄液の加熱によって蒸発するので、気泡を含んだ状態で溶質が固化する。そのため、気泡を含んだ気泡層が、気泡を含んだ固体層（発泡体によって構成された層）に変化する。
【００５１】
パーティクルと基板Ｗとの間に介在している洗浄液は、発泡剤の発泡によって膨張する。そのため、パーティクルは、洗浄液の体積膨張によって基板Ｗから離れる方向に押される。これにより、図５Ｃに示すように、パーティクルが気泡層（気泡を含んだ液体層）によって持ち上げられ（リフトアップされ）、パーティクルが基板Ｗから剥がれる。さらに、気泡層が、気泡を含んだ固体層に変化するので、パーティクルと基板Ｗとの間に気泡が介在している状態が維持される。言い換えると、基板Ｗから離れる方向への力がパーティクルに加わっている状態が維持される。これにより、基板Ｗから剥がれたパーティクルが基板Ｗに再付着することを抑制または防止できる。
【００５２】
また、洗浄液の加熱等によって生じる気泡は、洗浄液中で等方的に膨らむ。そのため、倒壊方向（基板Ｗの上面に平行な方向）の力が、気泡からパターンに加わる場合がある。しかし、熱や振動は、基板Ｗから洗浄液に伝達されるので、気泡層は、パターンの根元付近からパターンの先端部に向かって成長していく（気泡層の厚みが増加していく）。したがって、倒壊方向の力は、パターンの根元付近に加わる。そのため、倒壊方向の力がパターンに加わったとしても、パターンの倒壊が発生しにくい。さらに、気泡層が、パターンの先端部まで成長したとしても、熱や振動が基板Ｗの全域に均一に与えられているので、気泡は、パターンの両側で発生する。そのため、方向が反対で大きさが等しい２つの力が、パターンに加わり相殺される。そのため、気泡層がパターンの先端部まで成長したとしても、パターンの倒壊が発生しにくい。
【００５３】
気泡を含んだ固体層（発泡体によって構成された層）は、溶質によって構成されているので、洗浄液に含まれる溶媒に溶解する。同様に、固体層は、溶解液吐出口３６から吐出された溶解液に溶解する。したがって、基板Ｗ上の固体層は、洗浄液および溶解液によって、パーティクルと共に基板Ｗから洗い流される。これにより、基板Ｗの上面全域からパーティクルが除去される。しかも、溶解液吐出口３６から吐出された溶解液は、洗浄液が着液する上流位置Ｐｕよりも下流側で上流位置Ｐｕの近傍の下流位置Ｐｄに着液するので、洗浄液が基板Ｗに着液すると、その着液した位置に溶解液が直ぐに供給される。したがって、基板Ｗ上の固体層は、発生直後にパーティクルと共に基板Ｗから洗い流される。そのため、固体層が、パターンの先端部まで成長することを抑制または防止できる。これにより、パターンの倒壊が抑制または防止される。
【００５４】
次に、リンス液としての溶解液を基板Ｗに供給する溶解液供給工程（第１リンス液供給工程）が行われる（図４のステップＳ５）。具体的には、制御装置４は、第１溶解液バルブ２３を開いて、回転状態の基板Ｗの上面中央部に向けて固定ノズル７から溶解液を吐出させる。固定ノズル７から吐出された溶解液は、基板Ｗの上面中央部に着液した後、遠心力によって基板Ｗ上を外方に流れる。そして、基板Ｗの上面周縁部に達した溶解液は、基板Ｗの周囲に振り切られる。これにより、基板Ｗの上面全域に溶解液が供給され、スキャンノズル９から基板Ｗに供給された洗浄液および溶解液や、基板Ｗ上に残留しているパーティクルが、基板Ｗから洗い流される。したがって、基板Ｗ上の洗浄液および溶解液が、固定ノズル７から吐出された溶解液に置換され、基板Ｗの上面全域を覆う溶解液の液膜が形成される。
【００５５】
次に、リンス液（たとえば純水）を基板Ｗに供給するリンス液供給工程（第２リンス液供給工程）が行われる（図４のステップＳ６）。具体的には、制御装置４は、第１リンス液バルブ２５を開いて、回転状態の基板Ｗの上面中央部に向けて固定ノズル７からリンス液を吐出させる。固定ノズル７から吐出されたリンス液は、基板Ｗの上面中央部に着液した後、遠心力によって基板Ｗ上を外方に流れる。そして、基板Ｗの上面周縁部に達したリンス液は、基板Ｗの周囲に振り切られる。これにより、基板Ｗの上面全域にリンス液が供給され、基板Ｗ上の溶解液や、基板Ｗ上に残留しているパーティクルが、基板Ｗから洗い流される。したがって、基板Ｗ上の溶解液がリンス液に置換され、基板Ｗの上面全域を覆うリンス液の液膜が形成される。
【００５６】
次に、基板Ｗへのリンス液の供給を停止させた状態でリンス液の液膜を基板Ｗ上に保持するパドル工程が行われる（図４のステップＳ７）。具体的には、制御装置４は、基板Ｗの上面全域がリンス液の液膜に覆われている状態で、スピンチャック６を制御することにより、基板Ｗの回転を停止させる、もしくは、リンス液供給工程での回転速度よりも低速の低回転速度（たとえば１０〜３０ｒｐｍ）まで基板Ｗの回転速度を低下させる。そのため、基板Ｗ上のリンス液に作用する遠心力が弱まり、基板Ｗ上から排出されるリンス液の量が減少する。制御装置４は、基板Ｗが静止している状態もしくは基板Ｗが低回転速度で回転している状態で、第１リンス液バルブ２５を閉じて、固定ノズル７からのリンス液の吐出を停止させる。これにより、基板Ｗへのリンス液の供給が停止された状態で、基板Ｗの上面全域を覆うリンス液の液膜が基板Ｗ上に保持される。
【００５７】
次に、純水よりも揮発性の高い親水性の有機溶剤（たとえば、ＩＰＡ）を基板Ｗに供給する有機溶剤供給工程が行われる（図４のステップＳ８）。具体的には、制御装置４は、スピンチャック６を制御することにより、基板Ｗの回転速度をパドル工程での回転速度よりも上昇させる。さらに、制御装置４は、遮断板昇降ユニットを制御することにより、遮断板１１を退避位置から近接位置に移動させる。さらに、制御装置４は、ガスバルブ３４を開いて、遮断板１１の下面中央部から窒素ガスを吐出させる。その後、制御装置４は、第２溶解液バルブ３０を開いて、基板Ｗの上面中央部に向けて中心軸ノズル８から有機溶剤を吐出させる。これにより、基板Ｗ上のリンス液が有機溶剤に置換され、基板Ｗの上面全域を覆う有機溶剤の液膜が形成される。制御装置４は、中心軸ノズル８からの有機溶剤の吐出を開始させてから所定時間が経過した後、遮断板１１の下面中央部からの窒素ガスの吐出が継続されている状態で、第２溶解液バルブ３０を閉じて、中心軸ノズル８からの有機溶剤の吐出を停止させる。
【００５８】
次に、基板Ｗを乾燥させる乾燥工程（スピンドライ）が行われる（図４のステップＳ９）。具体的には、制御装置４は、スピンチャック６を制御することにより、遮断板１１が近接位置に配置されており、遮断板１１の下面中央部からの窒素ガスの吐出が継続されている状態で、基板Ｗの回転速度を、搬入工程から有機溶剤供給工程までの回転速度よりも高速の高回転速度（たとえば数千ｒｐｍ）まで上昇させる。これにより、基板Ｗ上の液体が基板Ｗの周囲に振り切られ、基板Ｗと遮断板１１との間が窒素ガスで満たされている状態で、基板Ｗが乾燥する。制御装置４は、基板Ｗの高速回転が所定時間に亘って行われた後、スピンチャック６を制御することにより、基板Ｗの回転を停止させる。さらに、制御装置４は、ガスバルブ３４を閉じて、遮断板１１の下面中央部からの窒素ガスの吐出を停止させる。さらに、制御装置４は、遮断板昇降ユニットを制御することにより、遮断板１１を退避位置まで上昇させる。その後、制御装置４は、搬送ロボットを制御することにより、搬送ロボットによって基板Ｗをスピンチャック６から搬出させる（搬出工程）。
【００５９】
以上のように本実施形態では、洗浄液が基板Ｗに接している状態で、発泡エネルギーが洗浄液に与えられる。これにより、洗浄液に添加された発泡剤が発泡して、洗浄液中に気泡が発生する。基板Ｗに付着しているパーティクルは、基板Ｗとパーティクルとの間に介在する気泡によって基板Ｗから離れる方向に押される。そのため、基板Ｗに対するパーティクルの付着力が弱まったり、パーティクルが基板Ｗから剥がれたりする。しかも、発泡エネルギーが洗浄液に与えられると、洗浄液の溶媒が蒸発して、洗浄液の溶質が固化するので、気泡層（気泡を含んだ液体層）が、気泡を含んだ固体層に変化する。そのため、パーティクルと基板Ｗとの間に気泡が介在している状態が維持される。これにより、基板Ｗから剥がれたパーティクルが基板Ｗに再付着することを抑制または防止できる。さらに、気泡は、パターンの両側で発生するので、方向が反対で大きさが等しい２つの力がパターンに加わる。したがって、パターンに加わる力が相殺される。これにより、パターンの倒壊を抑制または防止しつつ、パーティクルを除去できる。
【００６０】
本発明の実施形態の説明は以上であるが、本発明は、前述の実施形態の内容に限定されるものではなく、請求項記載の範囲内において種々の変更が可能である。
たとえば、前述の実施形態では、洗浄液および溶解液が、共通のノズル（スキャンノズル９）から吐出される場合について説明した。すなわち、洗浄液を吐出する洗浄液ノズルが、溶解液を吐出する溶解液ノズルと一体である場合について説明した。しかし、洗浄液ノズルは、溶解液ノズルとは別のノズルであってもよい。
【００６１】
また、前述の実施形態では、洗浄液ノズルが、スキャンノズル９である場合について説明した。しかし、洗浄液ノズルは、固定ノズルであってもよいし、中心軸ノズルであってもよい。
また、洗浄液ノズルが固定ノズルである場合、図６に示すように、洗浄液ノズル９Ａは、基板Ｗの半径よりも長いスリット状の洗浄液吐出口３５Ａを有していてもよいし、図７に示すように、洗浄液ノズル９Ｂは、遮断板１１の下面で開口しており基板Ｗの上面全域に対向する複数の洗浄液吐出口３５Ｂを有していてもよい。溶解液ノズルについても同様である。
【００６２】
図６に示すように、洗浄液ノズル９Ａがスリット状の洗浄液吐出口３５Ａを有している場合、洗浄液吐出口３５Ａは、基板Ｗの上面中央部と基板Ｗの上面周縁部とを通る直線状の領域に向けて洗浄液を吐出するので、制御装置４は、洗浄液ノズル９Ａから洗浄液を吐出させながら、スピンチャック６に基板Ｗを回転させることにより、基板Ｗの上面全域に洗浄液を供給できる。
【００６３】
また、図７に示すように、洗浄液ノズル９Ｂが遮断板１１の下面で開口しており基板Ｗの上面全域に対向する複数の洗浄液吐出口３５Ｂを有している場合、遮断板１１と一体の洗浄液ノズル９Ｂは、基板Ｗの上面全域に向けて洗浄液を吐出するので、制御装置４は、洗浄液ノズル９Ｂから洗浄液を吐出させることにより、基板Ｗの上面全域に洗浄液を供給できる。この場合、制御装置４は、洗浄液ノズル９Ｂから洗浄液を吐出させながら、スピンチャック６に基板Ｗを回転させることにより、基板Ｗの上面全域に均一に洗浄液を供給できる。
【００６４】
また、前述の実施形態では、溶媒の蒸発によって固化した溶質（発泡体）に溶解液を供給することにより、発泡体を溶かして基板Ｗから除去する場合について説明した。しかし、図８に示すように、処理ユニット２は、発泡体を基板Ｗから物理的に剥がす剥離装置４９を備えていてもよい。
具体的には、図８に示すように、処理ユニット２は、軸方向に延びるスリット状の吸引孔５０ａが形成された筒状の剥離ローラ５０と、剥離ローラ５０をその中心軸線まわりに回転させる回転機構５１とを備えていてもよい。この場合、制御装置４は、熱および振動が基板Ｗの全域に均一に与えられている状態で、洗浄液吐出口３５（図３参照）から吐出された洗浄液を基板Ｗの上面全域に供給する。これにより、基板Ｗの上面全域を覆う発泡体の膜が形成される。その後、制御装置４は、剥離ローラ５０に発泡体の膜を吸引させた状態で、回転機構５１に剥離ローラ５０を回転させる。これにより、発泡体の膜が、基板Ｗから剥がれ、剥離ローラ５０に巻き取られる。
【００６５】
また、前述の実施形態では、ヒータ２０による基板Ｗの加熱と、基板Ｗへの振動の伝達とによって、発泡エネルギーが、基板Ｗから洗浄液に伝達される場合について説明した。しかし、基板Ｗ上の洗浄液が直接加熱されてもよいし、振動が基板Ｗ上の洗浄液に直接伝達されてもよい。また、発泡エネルギーが洗浄液に直接的に与えられる場合および間接的に与えられる場合のいずれの場合でも、ヒータ２０による加熱だけ、または振動の伝達だけで、発泡エネルギーが洗浄液に与えられてもよい。また、基板Ｗに向けて光を発するランプからの光の照射によって、発泡エネルギーが洗浄液に与えられてもよい。この場合、光の照射は、単独で行われてもよいし、ヒータ２０による加熱および振動の伝達の少なくとも一つと並行して行われてもよい。
【００６６】
また、前述の実施形態における処理例では、チャンバー５内の気圧が大気圧に維持されている状態で、基板Ｗが処理される場合について説明した。しかし、洗浄液の発泡剤を発泡させるために、チャンバー５内の気圧が大気圧よりも低い圧力に維持されている状態で、基板Ｗが処理されてもよい。また、気泡層の厚みの増加を抑制するために、チャンバー５内の気圧が大気圧よりも高い圧力に維持されている状態で、基板Ｗが処理されてもよい。このような気圧の制御は、基板Ｗがチャンバー５内に配置されている全期間に亘って行われてもよいし、洗浄液が基板Ｗ上に存在している期間だけ行われてもよい。さらに、このような気圧の制御は、単独で行われてもよいし、ヒータ２０による加熱、振動の伝達、および光の照射の少なくとも一つと並行して行われてもよい。
【００６７】
また、前述の実施形態における処理例では、ヒータ２０による基板Ｗの加熱と基板Ｗへの振動の伝達とが、基板Ｗへの洗浄液の供給（スキャンノズル９からの洗浄液の吐出）が開始される前に開始され、基板Ｗへの洗浄液の供給が終了した後に停止される場合について説明した。しかし、ヒータ２０による加熱と振動の伝達とは、基板Ｗへの洗浄液の供給が開始された後に開始されてもよい。また、ヒータ２０による加熱と振動の伝達とは、基板Ｗへの洗浄液の供給が終了する前に停止されてもよい。この場合、制御装置４は、洗浄液に対する発泡エネルギーの供給時間や、発泡エネルギーの強さ（温度や周波数など）を制御することにより、気泡層が形成される領域を基板Ｗの表面近傍の領域（たとえば、基板Ｗの表面から数ｎｍ〜１００ｎｍまでの領域）だけに止めてもよい。これにより、制御装置４は、気泡層がパターンの先端部まで成長することを抑制または防止できる。そのため、パターンの倒壊を抑制または防止できる。
【００６８】
また、前述の実施形態における処理例では、スキャンノズル９からの洗浄液および溶解液の吐出と、固定ノズルからの溶解液の吐出と、固定ノズルからのリンス液（純水）の吐出とが、この順番で順次行われる場合について説明した。しかし、スキャンノズル９からの溶解液の吐出と、固定ノズルからの溶解液の吐出とのうちのいずれか一方が省略されてもよい。また、スキャンノズル９および固定ノズルから吐出される溶解液が純水である場合には、スキャンノズル９からの溶解液の吐出と、固定ノズルからの溶解液の吐出と、固定ノズルからのリンス液の吐出とのうちの１つまたは２つが省略されてもよい。
【００６９】
また、前述の実施形態における処理例では、有機溶剤を基板Ｗに供給することにより、基板Ｗ上のリンス液を有機溶剤に置換する場合について説明した（有機溶剤供給工程）。さらに、前述の実施形態では、基板Ｗと遮断板１１との間に窒素ガスを供給することにより、基板Ｗと遮断板１１との間から空気をパージ（追放）する場合について説明した（雰囲気置換工程）。しかし、リンス液が基板Ｗに供給された後（リンス液供給工程またはパドル工程の後）に、乾燥工程が行われてもよい。具体的には、基板Ｗの表面が親水面である場合には、基板Ｗの表面が疎水面である場合よりもウォーターマークが発生し難いので、この場合には、リンス液が基板Ｗに供給された後に、乾燥工程が行われてもよい。
【００７０】
また、前述の実施形態における処理例では、固定ノズル７から吐出されたリンス液が、基板Ｗに供給される場合について説明した。しかし、中心軸ノズル８から吐出されたリンス液が基板Ｗに供給されてもよい。
また、前述の実施形態では、洗浄液が、発泡剤および溶媒に加えて、溶媒が蒸発することにより固化する溶質を含む場合について説明した。しかし、溶質は、溶媒が蒸発することにより固化する物質でなくてもよい。
【００７１】
また、前述の実施形態では、基板処理装置１が、円板状の基板Ｗを処理する装置である場合について説明したが、基板処理装置１は、液晶表示装置用基板などの多角形の基板を処理する装置であってもよい。
その他、特許請求の範囲に記載された事項の範囲で種々の設計変更を施すことが可能である。
【符号の説明】
【００７２】
１        ：基板処理装置
４        ：制御装置（エネルギー供給量制御手段）
６        ：スピンチャック（基板保持手段）
７        ：固定ノズル（溶解液供給手段）
９        ：スキャンノズル（洗浄液供給手段）
９Ａ      ：洗浄液ノズル（洗浄液供給手段）
９Ｂ      ：洗浄液ノズル（洗浄液供給手段）
１３      ：ＦＦＵ（発泡エネルギー供給手段、気圧変更手段）
１４      ：排気装置（発泡エネルギー供給手段、気圧変更手段）
２０      ：ヒータ（発泡エネルギー供給手段、発熱手段）
２１      ：超音波振動子（発泡エネルギー供給手段、振動手段）
Ｗ        ：基板
【図１】
2014017466.tif 000003
【図２】
2014017466.tif 000004
【図３】
2014017466.tif 000005
【図４】
2014017466.tif 000006
【図５Ａ】
2014017466.tif 000007
【図５Ｂ】
2014017466.tif 000008
【図５Ｃ】
2014017466.tif 000009
【図６】
2014017466.tif 000010
【図７】
2014017466.tif 000011
【図８】
2014017466.tif 000012